(57)【要約】      （修正有）【課題】投影システムの最終要素と基板間の空間を液体で充填するリソグラフィ投影装置を開示する。【解決手段】縁密封部材１７が、基板テーブルＷＴ上の基板Ｗまたは他のオブジェクトを少なくとも部分的に囲み、基板の縁部分を撮像または照明する場合の破局的液体損を防止する。【選択図】図３
2010212713.tif 000002
【特許請求の範囲】
【請求項１】
−放射線の投影ビームを供給する放射線システムと、
−パターン形成手段を支持する支持構造とを備え、パターン形成手段は、所望のパターンに従って投影ビームにパターン形成する働きをし、さらに、
−基板を保持する基板テーブルと、
−パターン形成したビームを基板の標的部分に投影する投影システムと、
−前記投影システムの最終要素と、基板テーブル上に配置されたオブジェクト間の空間を液体で少なくとも部分的に充填する液体供給システムとを備え、
前記基板テーブルが、さらに、オブジェクトの縁を少なくとも部分的に囲む縁密封部材と、前記縁密封部材と前記投影システムとは反対側にあるオブジェクトとの間のギャップに真空または液体を供給するよう配置された真空孔または液体供給孔とを備えることを特徴とするリソグラフィ投影装置。
【請求項２】
前記基板テーブルが、さらに、前記真空孔の半径方向内側に配置された流路を備え、前記流路が気体源に接続され、したがって前記真空源を起動すると、前記流路から前記真空源へと半径方向外向きの気体流を確立することができる、請求項１に記載の装置。
【請求項３】
前記基板に接触する節が、前記流路の半径方向外側、および前記真空孔の内側に存在する、請求項２に記載の装置。
【請求項４】
前記基板テーブルが、さらに、オブジェクトの下に延在し、前記真空孔の半径方向外側にある孔を備える、請求項１から３いずれか１項に記載の装置。
【請求項５】
前記部分が、前記オブジェクトに向かって延在し、それによって前記オブジェクトを少なくとも部分的に支持する部品を有する、請求項４に記載の装置。
【請求項６】
前記節および／または部分および／または部品が、前記基板を支持するピンプル・テーブルの部品である、請求項３から５いずれか１項に記載の装置。
【請求項７】
さらに、前記基板テーブル内に、前記真空孔を介して前記ギャップと、および前記真空源と流体接続する区画を備える、請求項１から６いずれか１項に記載の装置。
【請求項８】
前記真空孔が環状である、請求項１から７いずれか１項に記載の装置。
【請求項９】
前記真空孔が不連続である、請求項１から８いずれか１項に記載の装置。
【請求項１０】
前記真空孔が連続している、請求項１から８いずれか１項に記載の装置。
【請求項１１】
前記真空孔が、縁密封部材の縁部分に隣接して配置される、請求項１から１０いずれか１項に記載の装置。
【請求項１２】
−放射線の投影ビームを共有する放射線システムと、
−パターン形成手段を支持する支持構造とを備え、パターン形成手段が、所望のパターンに従って投影ビームにパターン形成する働きをし、さらに、
−基板を保持する基板テーブルと、
−パターン形成したビームを基板の標的部分に投影する投影システムと、
−前記投影システムの最終要素と、基板テーブル上に配置されたオブジェクト間の空間を液体で少なくとも部分的に充填する液体供給システムとを備え、
前記基板テーブルが、さらに、オブジェクトの縁を少なくとも部分的に囲み、前記投影システムに面してオブジェクトの１次表面とほぼ同一平面上にある１次表面を提供する縁密封部材を備え、前記液体供給システムが、前記オブジェクトおよび／または前記縁密封部材および／または基板の局所的区域に液体を供給することを特徴とするリソグラフィ投影装置。
【請求項１３】
前記縁密封部材およびオブジェクトが、相互に対して動作可能に装着される、請求項１２に記載の装置。
【請求項１４】
前記縁密封部材が、前記縁密封部材とオブジェクト間の距離を変動するため、前記縁密封部材の前記１次表面にほぼ平行な面で動作可能である、請求項１２または１３に記載の装置。
【請求項１５】
前記基板テーブルが、さらに、装置の光軸にほぼ平行な方向で、前記基板テーブルの残りの部分に対して前記縁密封部材を動作させるアクチュエータを備える、請求項１２、１３または１４に記載の装置。
【請求項１６】
前記アクチュエータがウェッジ部材を備え、これは、前記縁密封部材の前記１次表面にほぼ平行な方向に動作すると、前記縁密封部材を前記基板テーブルの残りの部分に対して、装置の光軸にほぼ平行な方向で動作させるのに効果的である、請求項１５に記載の装置。
【請求項１７】
前記ウェッジが、起動力を除去すると、前記ウェッジの摩擦係数によって所定の位置にロックされるよう配置される、請求項１６に記載の装置。
【請求項１８】
前記基板テーブルが、さらに、前記縁密封部材およびオブジェクトの縁部分の近傍で、前記縁密封部材およびオブジェクトの前記投影システムとは反対側にある疎水性層を備える、請求項１２から１７いずれか１項に記載の装置。
【請求項１９】
前記液体が、前記疎水性層との間に９０°より大きい接触角を有する、請求項１８に記載の装置。
【請求項２０】
前記縁密封部材が、前記縁密封部材の１次表面と同一平面上にある上面を有し、前記装置の光軸に向かって延在する突起を有する、請求項１２から１９いずれか１項に記載の装置。
【請求項２１】
前記基板テーブルが、さらに、光軸の方向で前記縁密封部材およびオブジェクトの両方に突き当たるか、または少なくとも部分的に重畳するギャップ密封部材を備える、請求項１２から２０いずれか１項に記載の装置。
【請求項２２】
前記ギャップ密封部材が、前記１次表面と接触し、それによって前記縁密封部材とオブジェクト間のギャップに広がるためのものである、請求項２１に記載の装置。
【請求項２３】
前記ギャップ密封部材が内縁および外縁を有し、前記縁の少なくとも一方がテーパ状になり、したがってギャップ密封部材の縁密封部材またはオブジェクトの１次表面に面していない表面の距離が、ギャップ密封部材の縁に向かって減少する、請求項２１または２２に記載の装置。
【請求項２４】
前記基板テーブルが、さらに、前記ギャップ密封部材を所定の位置に保持するため、前記縁密封部材の前記１次表面に真空孔を備える、請求項２１から２３いずれか１項に記載の装置。
【請求項２５】
前記基板テーブルが、前記基板テーブルの残りの部分に対して前記オブジェクトの１次表面の距離を変動させる手段を含む、請求項１２から２４いずれか１項に記載の装置。
【請求項２６】
−放射線の投影ビームを共有する放射線システムと、
−パターン形成手段を支持する支持構造とを備え、パターン形成手段が、所望のパターンに従って投影ビームにパターン形成する働きをし、さらに、
−基板を保持する基板テーブルと、
−パターン形成したビームを基板の標的部分に投影する投影システムと、
−前記投影システムの最終要素と、基板テーブル上に配置されたオブジェクト間の空間を液体で少なくとも部分的に充填する液体供給システムとを備え、
前記基板テーブルが、さらに、オブジェクトの縁を少なくとも部分的に囲む縁密封部材と、前記縁密封部材とオブジェクト間のギャップにまたがって延在し、オブジェクトと接触するさらなる縁密封部材とを備えることを特徴とするリソグラフィ投影装置。
【請求項２７】
前記さらなる縁密封部材が可撓性である、請求項２６に記載の装置。
【請求項２８】
前記さらなる可撓性の縁密封部材を前記縁密封部材に取り付ける、請求項２７に記載の装置。
【請求項２９】
前記さらなる可撓性の縁密封部材が、真空源に接続され、前記縁密封部材から遠位側のその端部に隣接する孔を有し、したがって前記真空源を起動すると、オブジェクトに作用する真空源によって発生した力により、前記さらなる可撓性縁密封部材が、上方向に屈曲可能で、オブジェクトと接触し、それによって前記さらなる可撓性縁密封部材とオブジェクトとの間に密封を形成する、請求項２６、２７または２８に記載の装置。
【請求項３０】
さらに、前記オブジェクトの下で前記基板テーブルに取り付けられ、取付点から半径方向外側に自由端がある第２のさらなる可撓性縁密封部材を備える、請求項２６または２７に記載の装置。
【請求項３１】
前記さらなる可撓性縁密封部材が、前記縁密封部材とオブジェクトの間に配置され、前記縁密封部材およびオブジェクトの前記１次表面とほぼ同一平面上にある表面を有する、請求項２６または２７に記載の装置。
【請求項３２】
前記さらなる可撓性縁密封部材が、その１次表面の反対側の表面にあるオブジェクトと接触するよう形成される、請求項３１に記載の装置。
【請求項３３】
前記さらなる可撓性縁密封部材が、オブジェクトを前記基板テーブル上に保持している場合に、前記基板テーブルから離れる力をオブジェクトに加えるのに有効である、請求項３１または３２に記載の装置。
【請求項３４】
−放射線の投影ビームを共有する放射線システムと、
−パターン形成手段を支持する支持構造とを備え、パターン形成手段が、所望のパターンに従って投影ビームにパターン形成する働きをし、さらに、
−基板を保持する基板テーブルと、
−パターン形成したビームを基板の標的部分に投影する投影システムと、
−前記投影システムの最終要素と、基板テーブル上に配置されたオブジェクト間の空間を液体で少なくとも部分的に充填する液体供給システムとを備え、
前記基板テーブルが、さらに、前記投影システムとオブジェクトの間で中間プレートを支持し、オブジェクトと接触しない支持表面を備えることを特徴とするリソグラフィ投影装置。
【請求項３５】
前記液体供給システムが、前記中間プレートと前記オブジェクト間の空間を液体で充填するために液体供給孔を含む、請求項３４に記載の装置。
【請求項３６】
前記基板テーブルが、さらに、ビームを感知する透過像センサを備え、前記中間プレートが、前記センサと前記投影システムの間に配置される、請求項３４または３５に記載の装置。
【請求項３７】
前記液体供給システムが、前記投影システムの最終要素を前記中間プレート間の空間を液体で充填するために投影システム液体供給システムを含む、請求項３４、３５または３６に記載の装置。
【請求項３８】
前記中間プレートが、装置の光軸に対して直角の面に、前記オブジェクトより大きい断面積を有し、したがって前記オブジェクトの縁を全て、前記中間プレートで覆うことができる、請求項３４から３７いずれか１項に記載の装置。
【請求項３９】
−放射線の投影ビームを共有する放射線システムと、
−パターン形成手段を支持する支持構造とを備え、パターン形成手段が、所望のパターンに従って投影ビームにパターン形成する働きをし、さらに、
−基板を保持する基板テーブルと、
−パターン形成したビームを基板の標的部分に投影する投影システムと、
−前記投影システムの最終要素と、基板テーブル上に配置されたオブジェクト間の空間を液体で少なくとも部分的に充填する液体供給システムとを備える装置で、
さらに、
−前記空間の境界の少なくとも一部に沿って、前記投影システムの最終要素と前記基板テーブルの間に延在する液体供給システムの部材と、
−前記基板テーブルから延在し、前記部材と前記投影システムの前記最終要素との間に配置された毛管とを備えることを特徴とするリソグラフィ投影装置。
【請求項４０】
前記毛管がチューブである、請求項３７に記載の装置。
【請求項４１】
前記毛管が多孔質膜で形成される、請求項４０に記載の装置。
【請求項４２】
前記毛管の内部コーティングが疎水性である、請求項３９から４１いずれか１項に記載の装置。
【請求項４３】
さらに、前記空間内の前記液体と前記毛管との間に電位差を与える手段を備える、請求項３９から４２いずれか１項に記載の装置。
【請求項４４】
撮像すべき前記オブジェクトが基板またはセンサである、請求項１から４３いずれか１項に記載の装置。
【請求項４５】
前記縁密封部材、または前記第１または第２のさらなる縁密封部材を、前記オブジェクトの周囲で前記オブジェクトに接着する、請求項１から４４いずれか１項に記載の装置。
【発明の詳細な説明】
【技術分野】
【０００１】
本発明は、
−放射線の投影ビームを供給する放射線システムと、
−パターニング手段を支持する支持構造とを備え、パターニング手段は、所望のパターンに従って投影ビームにパターン形成する働きをし、さらに、
−基板を保持する基板テーブルと、
−パターン形成したビームを基板の標的部分に投影する投影システムと、
−前記投影システムの最終要素と、前記基板テーブル上に配置されたオブジェクトとの間の空間を、液体で少なくとも部分的に充填する液体供給システムとからなるリソグラフィ投影装置に関する。
【背景技術】
【０００２】
「パターニング手段」という用語は、本明細書で使用すると、基板の標的部分に生成すべきパターンに対応し、パターン形成した断面を、入射放射線ビームに与えるために使用することができる手段を指すよう広義に解釈され、「ライトバルブ」という用語も、この文脈で使用することができる。概して、前記パターンは、集積回路または他のデバイス（以下参照）など、標的部分に生成するデバイスの特定の機能層に対応する。このようなパターニング手段の例は以下を含む。
−マスク。マスクの概念はリソグラフィでよく知られ、バイナリ、交互位相ずれ、および減衰位相ずれ、さらに様々な複合マスク・タイプなどのマスク・タイプを含む。このようなマスクを放射線ビームに配置すると、マスク上のパターンに従いマスクに衝突する放射線の選択的透過（透過性マスクの場合）または反射（反射性マスクの場合）が生じる。マスクの場合、支持構造は概ねマスク・テーブルであり、これによりマスクを入射放射ビームの所望の位置に保持でき、所望に応じてビームに対して移動できることが保証される。
−プログラマブル・ミラー・アレイ。このような装置の一例は、粘弾性制御層および反射性表面を有するマトリックス・アドレス指定可能表面である。このような装置の元となる原理は、（例えば）反射性表面のアドレス指定された区域は、屈折光として入射光を反射し、アドレス指定されない区域は非屈折光として入射光を反射することである。適切なフィルタを使用すると、前記非屈折光を反射ビームから除去し、屈折光のみを残すことができ、この方法で、ビームはマトリックス・アドレス指定可能表面のアドレス指定パターンに従ってパターン形成される。プログラマブル・ミラー・アレイの代替実施例は、微小なミラーのマトリックス構成を使用し、各ミラーは、局所化した適切な電界を与えるか、圧電起動手段を使用することによって軸線の周囲で個々に傾斜させることができる。この場合もミラーはマトリックス・アドレス指定可能であり、したがってアドレス指定されたミラーは、アドレス指定されないミラーとは異なる方向に放射ビームを反射し、この方法により、反射ビームはマトリックス・アドレス指定可能ミラーのアドレス指定パターンに従ってパターン形成される。必要なマトリックス・アドレス指定は、適切な電子的手段を使用して実施することができる。上述した状況の双方で、パターニング手段は、１つまたは複数のプログラマブル・ミラー・アレイを備えることができる。本明細書で言及するミラー・アレイに関する詳細な情報は、例えば米国特許第５，２９６，８９１号および米国特許第５，５２３，１９３号および国際ＰＣＴ特許出願第９８／３８５９７号および第９８／３３０９６号で収集することができ、これらは参照により本明細書に組み込まれる。プログラマブル・ミラー・アレイの場合、前記支持構造は、必要に応じて固定するか動作可能なフレームまたはテーブルなどとして実現してもよい。
−プログラマブルＬＣＤアレイ。このような構造の一例が米国特許第５，２２９，８７２号で与えられ、これは参照により本明細書に組み込まれる。上記と同様、この場合の支持構造は、必要に応じて固定するか動作可能なフレームまたはテーブルなどとして実現してもよい。
【０００３】
単純にするため、本明細書ではこれ以降、特定の箇所で、マスクおよびマスク・テーブルに関わる例を特に指向するが、このような場合に検討される一般原理は、以上で記述したようなパターニング手段という、より広義の文脈で考慮されたい。
【０００４】
リソグラフィ投影装置は、例えば集積回路（ＩＣ）の製造に使用することができる。このような場合、パターニング手段は、ＩＣの個々の層に対応する回路パターンを生成してよく、このパターンを、放射線感受性材料（レジスト）の層で被覆した基板（シリコン・ウェーハ）上の標的部分（例えば１つまたは複数のダイを備える）に撮像することができる。概して、１枚のウェーハが、１回に１つずつ投影システムを介して連続的に放射される隣接標的部分の全ネットワークを含む。マスク・テーブル上のマスクによるパターン形成を使用するこの装置では、２つの異なるタイプの機械を区別することができる。一方のタイプのリソグラフィ投影装置では、マスク・パターン全体を１回で標的部分に曝露させることにより、各標的部分に照射し、このような装置は通常、ウェーハ・ステッパと呼ばれる。一般に走査ステップ式装置と呼ばれる代替装置では、投影ビームの下で任意の基準方向（「走査」方向）でマスク・パターンを漸進的に走査しながら、この方向に平行または逆平行に基板テーブルを同期走査することにより、各標的部分に照射する。概して、投影システムは倍率Ｍ（概ね＜１）を有するので、基板テーブルを走査する速度Ｖは、係数Ｍにマスク・テーブルを走査する速度を掛ける値となる。本明細書で説明するようなリソグラフィ装置に関する詳細な情報は、例えば参照により本明細書に組み込まれる米国特許第６，０４６，７９２号で収集することができる。
【０００５】
リソグラフィ投影装置を使用する製造プロセスでは、少なくとも部分的に放射線感受性材料（レジスト）の層で覆われた基板に、（例えばマスクの）パターンを撮像する。この撮像ステップの前に、基板にはプライミング、レジスト被覆およびソフト・ベークなどの様々な手順を実施してよい。露光後、基板は、撮像した特徴の現像前ベーク（ＰＥＢ）、現像、ハード・ベークおよび測定／検査など、他の手順を実施することができる。この一連の手順は、例えばＩＣなど、デバイスの個々の層にパターン形成するためのベースとして使用する。このようなパターン形成した層は、次にエッチング、イオン注入（ドーピング）、メタライゼーション、酸化、化学機械的研磨などの様々なプロセスを実施することができ、これらは全て、個々の層を仕上げるよう意図されている。数層が必要な場合は、手順全体またはその変形を新しい層ごとに反復しなければならない。最終的に、アレイ状のデバイスが基板（ウェーハ）上に存在する。次にこれらのデバイスを、ダイシングまたはソーイングなどの技術によって相互から分離し、ここで個々のデバイスをキャリア上に装着したり、ピンに接続したりすることができる。このようなプロセスに関するさらなる情報は、例えば参照により本明細書に組み込まれるPeter van Zant著の「Microchip Fabrication: A Practical Guide to Semiconductor Processing」第３版(McGraw Hill Publishing Co., 1997, ISBN 0-07-067250-4)という著書から獲得することができる。
【０００６】
単純にするため、投影システムをこれ以降「レンズ」と呼ぶが、この用語は、例えば屈折光学系、反射光学系および反射屈折光学系など、様々なタイプの投影システムを含むものと広義に解釈されたい。放射線システムは、投影放射ビームを配向、成形、または制御するため、これらの設計タイプのいずれかにより動作するコンポーネントも含むことができ、このようなコンポーネントは、以下で集合的または単独で「レンズ」とも呼ぶことができる。さらに、リソグラフィ装置は、２つ以上の基板テーブル（および／または２つ以上のマスク・テーブル）を有するタイプでもよい。このような「複数ステージ」のデバイスでは、追加テーブルを平行にして使用するか、１つまたは複数のテーブルで予備ステップを実施しながら、１つまたは複数のテーブルを露光に使用する。二重ステージ・リソグラフィ装置は、例えば参照により本明細書に組み込まれる米国特許第５，９６９，４４１号および国際特許第９８／４０７９１号に記載されている。
【０００７】
リソグラフィ投影装置の基板は、投影レンズの最終的光学要素と基板との間の空間を充填するよう、水などの比較的高い屈折率を有する液体に浸漬するよう提案されている。この要点は、露光放射線が空気または真空中より液体中にて短い波長を有するので、より小さい機構を撮像できることである。（液体の効果は、システムの有効ＮＡを増加するものとしても考えることができる。）
【０００８】
しかし、基板または基板と基板テーブルを液体槽に浸漬すること（例えば参照により全体として本明細書に組み込まれる米国特許第４，５０９，８５２号参照）は、走査露光中に加速しなければならない大量の液体があるということになる。それには、追加の、またはさらに強力なモータが必要であり、液体中の乱流が、予測不能な望ましくない効果をもたらすことがある。
【０００９】
提案されている解決法の一つは、液体供給システムが、基板の局所化した区域のみ、および投影システムの最終要素と基板との間に液体を供給することである（基板は概ね、投影システムの最終要素より大きい表面積を有する）。これを配置するよう提案された一つの方法が、国際特許第９９／４９５０４号で開示され、これは参照により全体として本明細書に組み込まれる。図２２および図２３で示すように、液体は、少なくとも１つの入口ＩＮによって基板へと、好ましくは最終要素に対する基板の動作方向に沿って供給され、投影システム下を通過した後、少なくとも１つの出口ＯＵＴによって除去される。つまり、基板を要素の下で−Ｘ方向にて走査しながら、液体を要素の＋Ｘ側で供給し、−Ｘ側で除去する。図２３は、入口ＩＮを介して液体を供給し、低圧源に接続された出口ＯＵＴによって要素の他方側で除去する構成を概略的に示す。図２２の図では、液体を最終要素に対して基板の動作方向に沿って供給するが、こうである必要はない。最終要素の周囲に配置された入口および出口の様々な方向および数が可能であり、一例が図２３で示され、ここでは最終要素の周囲に規則的なパターンで各側に４組の入口と出口がある。
【００１０】
このシステム、および基板の局所的区域および投影システムの最終要素と基板との間にのみ液体を供給する他のシステムでは、基板の縁部分を撮像し、局所的区域が基板の縁を横切る時に、液体供給システムからの液体が大量に失われるという困難が生じることがある。
【発明の概要】
【発明が解決しようとする課題】
【００１１】
基板の縁部分の露光中に供給システムからの液体損失を最少にするリソグラフィ投影装置を提供することが、本発明の目的である。
【課題を解決するための手段】
【００１２】
以上およびその他の目的は、本発明により、最初のパラグラフで規定されたようなリソグラフィ装置で、前記テーブルが、さらに、オブジェクトの縁を少なくとも部分的に囲み、オブジェクトの１次表面とほぼ同一平面上にある前記投影システムに面する１次表面を提供する縁密封部材を備え、液体供給システムが、前記オブジェクトおよび／または前記縁密封部材および／または基板の局所的区域に液体を供給することを特徴とする装置で達成される。
【００１３】
オブジェクトが基板である場合、縁密封部材は、基板テーブル上にあって、使用時に基板を配置すべき位置を囲む、例えば基板が保持されるチャックまたはピンプル・テーブルを囲むためのものである。この方法で、基板を縁密封部材の縁のすぐ近傍に配置することができ、したがって基板の縁が投影レンズの下で移動する間、空間から液体が突然失われることがない。液体が流れる大きいギャップがないからである。縁密封部材は、基板テーブルの一体部品でも、基板テーブルの残りの部分に対して動作自在に装着してもよい。後者の場合では、オブジェクトの高さまたは厚さの変動に対応するため、つまり縁密封部材の１次表面がオブジェクトも１次表面とほぼ同一平面上にあることを保証するため、縁密封部材とオブジェクトとの間のギャップを変動させたり、縁密封部材の１次表面の高さを変動させたりできるよう、構成することができる。オブジェクトは、センサ、例えば投影ビーム・センサでもよい。
【００１４】
基板テーブルは、さらに、光軸の方向にて縁密封部材とオブジェクトとの両方に突き当たるか、これと部分的に重畳するギャップ密封部材を備えることが好ましい。例えば、この方法で、縁密封部材の内縁と基板の外縁との間のサイズ不一致のせいで、縁密封部材と（オブジェクトとしての）基板間にあるギャップ（基板の直径のわずかな変動に対応する必要がある）を、ギャップ密封部材で覆うことができる。これにより、縁密封部材と基板との間にあるギャップへの液体損の量がさらに減少する。ギャップ密封部材は、１次表面と接触し、それによって縁密封部材とオブジェクト間のギャップにまたがるものであることが好ましい。
【００１５】
ギャップ密封部材が内縁および外縁を有する場合、縁密封部材またはオブジェクトに面さないギャップ密封部材の厚さが、ギャップ密封部材の縁に向かって減少するよう、縁の少なくとも１つにテーパを設けることができる。これは、液体供給システムが、オブジェクトと縁密封部材間のギャップ上を滑らかに動作することに役立つ。
【００１６】
ギャップ密封部材を所定の位置に着脱式に保持する１つの方法は、基板テーブルに、前記縁密封部材の１次表面の真空孔を設けることである。
【００１７】
縁密封部材とオブジェクト間のギャップへと逃げる液体の量を最少にする別の方法は、基板テーブルに、投影システムに対して縁密封部材およびオブジェクトとは反対側にて、前記縁密封部材およびオブジェクトの縁部分に面する疎水性層を設けることである。このような疎水性層は、疎水性を呈する任意の材料、例えばテフロン（登録商標）、シリコンゴムまたは他のプラスチック材料でよい。有機コーティングより耐放射線性が優れているので、無機コーティングが概ね好ましい。液体は、疎水性層との間に９０°より大きい接触角を有することが好ましい。これは、液体がギャップに滲む可能性を低下させる。
【００１８】
上述した目的を達成するための代替方法は、最初のパラグラフで規定されたようなリソグラフィ装置で、前記基板テーブルが、さらに、オブジェクトの縁を少なくとも部分的に囲む縁密封部材と、前記縁密封部材とオブジェクト間のギャップを横断して延在し、オブジェクトに接触するさらなる縁密封部材とを備えることを特徴とする装置を設けることである。
【００１９】
この方法で、縁密封部材とオブジェクト間のギャップは閉鎖され、したがって液体供給システムからの液体が通過できる縁密封部材とオブジェクト間のギャップがなくなる。これは、さらなる縁密封部材が可撓性である場合に特にそうであり、その場合、さらなる縁密封部材とオブジェクト間の密封を改善することができる。
【００２０】
可撓性のさらなる縁密封部材は、縁密封部材に取り付けられて、前記縁密封部材から遠位側のその端部に隣接して真空源に接続されたポートを有し、したがって前記真空源を起動すると、前記可撓性のさらなる縁密封部材が上方向に屈曲可能で、オブジェクトに接触し、それによってオブジェクトに作用する真空源によって生成された力のため、前記可撓性のさらなる縁密封部材とオブジェクト間に密封を形成することが好ましい。これにより、可撓性のさらなる縁密封部材を起動して、オブジェクトと接触させ、オブジェクトから離れるよう停止することができる。真空を与えると、可撓性のさらなる縁密封部材とオブジェクト間に良好な密封が確保される。
【００２１】
代替実施例では、表面が、縁密封部材およびオブジェクトの１次表面とほぼ同一平面である状態で、可撓性のさらなる縁密封部材を、縁密封部材とオブジェクトの間に配置する。この方法で、縁密封部材とオブジェクト間のギャップを密封することができ、したがって少量の液体しかギャップに入ることができない。可撓性のさらなる縁密封部材は、１次表面とは反対側の表面でオブジェクトに接触するよう形成することが好ましく、オブジェクト・テーブル上でオブジェクトを保持する場合に、オブジェクト・テーブルから離れるようオブジェクトに力を加えるのに効果的であるので有利である。この方法で、特にオブジェクトが基板である場合、可撓性のさらなる縁密封部材は、基板の露光後に基板テーブルから基板を外すのに役立つことができる。
【００２２】
最初のパラグラフで規定されたようなリソグラフィ装置で、オブジェクトの縁部分における液体損の問題に対応する代替方法は、基板テーブルに、オブジェクトの縁を少なくとも部分的に囲む縁密封部材と、前記投影システムとは反対の側で前記縁密封部材とオブジェクト間のギャップに真空または液体を提供するよう配置された真空孔または液体供給孔を設けることである。
【００２３】
液体供給システムの場合は、液体が、投影レンズとオブジェクト間の空間から、縁密封部材とオブジェクト間のギャップへと入ることができない。ギャップが既に液体で充填されているからである。真空の代替法を使用する場合は、そのギャップに入る液体が全て除去され、再利用することができる。真空供給の措置は、液体供給システムのガス密封部材を使用して、液体を投影レンズとオブジェクト間の空間に保持する場合に有利である。これは、ギャップへと入る液体ばかりでなく、ガス密封部材からのガスも全て除去できるからである。
【００２４】
さらに、真空孔の半径方向内側に配置された流路、つまり真空源を起動すると、前記流路から前記真空源に向かう半径方向外側へのガスの流れを確立できるよう、ガス源に接続された流路が有利である。このようなガス流を使用して、オブジェクトの非浸漬側に到達した液体が全て、ガス流に捕捉され、真空源に向かって移送されることを保証することができる。
【００２５】
本発明の目的は、本発明により、最初のパラグラフで規定されたようなリソグラフィ装置で、前記基板テーブルが、さらに、前記投影システムとオブジェクト間の中間プレートを支持し、オブジェクトと接触しない支持表面を備えることを特徴とする装置によっても達成することができる。
【００２６】
この方法で、全体的サイズがオブジェクトより大きい中間プレートを使用することができ、したがって例えばオブジェクトの端部分の撮像中に、縁でギャップを通る液体損の問題がないよう、液体供給システムが中間プレートの中央部分に位置する。このようなシステムでは、ビームを感知する透過像センサ（ＴＩＳ）を設けることも可能であり、中間プレートをセンサと前記投影システムの間に配置することができる。したがって、投影像センサが、基板を撮像するのと同じ状態でビームを検出することが可能である。したがって、投影ビームを基板上に適正に集束するよう、基板テーブルをさらに正確に配置できる点で、これは有利である。
【００２７】
本発明の目的は、本発明により、最初のパラグラフで規定されたようなリソグラフィ装置で、さらに、前記投影システムの最終要素と前記基板テーブル間の前記空間の境界の少なくとも一部に沿って延在する液体供給システムの部材と、前記基板テーブルから延在し、前記部材と前記投影システムの前記最終要素との間に配置される毛管とを備えることを特徴とする装置でも達成することができる。
【００２８】
この方法で、毛管作用が液体のギャップへの広がりに役立つので、破局的液体損が発生する前に、オブジェクトの縁により大きいギャップが広がることができる。
【００２９】
毛管の内部コーティングは疎水性で、装置は、前記空間内の前記液体と前記毛管との間に電位差を与える手段を備えることが好ましい。この方法で、液体損のためにさらに大きいギャップにまたがることができる。
【００３０】
本発明のさらなる態様によると、デバイス製造方法で、
−少なくとも部分的に放射線感受性材料の層で覆われた基板を提供するステップと、
−放射線システムを使用して放射線の投影ビームを提供するステップと、
−放射線のパターン形成されたビームを放射線感受性材料の層の標的部分に投影するステップと、
−基板テーブル上のオブジェクトと、前記投影ステップで使用した投影システムの最終要素との間の空間を少なくとも部分的に充填するため、液体を提供するステップとを含み、
１次表面がオブジェクトの１次表面とほぼ同一平面上にある状態で、オブジェクトの縁の少なくとも一部を囲む縁密封部材を設け、前記液体を前記オブジェクトおよび／または縁密封部材の局所的区域に提供するか、
オブジェクトの縁を少なくとも部分的に囲む縁密封部材、および縁密封部材とオブジェクト間のギャップを横切って延在し、オブジェクトに接触するさらなる縁密封部材を設けるか、
オブジェクトの縁を少なくとも部分的に囲む縁密封部材を設け、オブジェクトの前記投影システムとは反対の側で、縁密封部材とオブジェクト間のギャップに真空または液体を与えるか、
液体がいずれかの側にある状態で、オブジェクトと投影システムの最終要素の間の空間に中間プレートを設けるか、
投影システムの最終要素と前記基板テーブル間の空間の境界の少なくとも一部に沿って延在する部材を設け、部材と投影システムの最終要素との間で基板テーブルから延在する毛管を設けることを特徴とする方法が提供される。
【００３１】
本明細書では、本発明による装置をＩＣの製造に使用することに特に言及しているが、このような装置は、他の多くの用途が可能であることを明示的に理解されたい。例えば、集積光学システム、磁気ドメイン・メモリの案内および検出パターン、液晶表示パネル、薄膜磁気ヘッドなどに使用してもよい。このような代替用途に関して、本明細書で「レチクル」、「ウェーハ」または「ダイ」という用語を使用する場合、それはそれぞれより一般的な「マスク」、「基板」および「標的部分」という用語に置換するものと考えるべきことが当業者には理解される。
【００３２】
本明細書では、「放射線」および「ビーム」という用語は、紫外線（例えば波長が３６５、２４８、１９３、１５７または１２６ｎｍ）を含む全タイプの電磁放射線を含むよう使用される。
【図面の簡単な説明】
【００３３】
次に、本発明の実施形態について、添付概略図を参照しながら、例示によってのみ説明する。
【図１】本発明の実施例によるリソグラフィ投影装置を示す。
【図２】本発明の第１実施例の液体リザーバを示す。
【図３】図２と同様に、本発明の実施例による基板テーブル上の縁密封部材を示す。
【図４】本発明の第２実施例を示す。
【図５】本発明の第２実施例の代替形態を示す。
【図６】本発明の第２実施例の詳細を示す。
【図７ａ】本発明の第３実施例の４つのバージョンを示す。
【図７ｂ】本発明の第３実施例の４つのバージョンを示す。
【図７ｃ】本発明の第３実施例の４つのバージョンを示す。
【図７ｄ】本発明の第３実施例の４つのバージョンを示す。
【図８ａ】本発明の第４実施例の第１バージョンを示す。
【図８ｂ】第４実施例の第２バージョンを示す。
【図８ｃ】第４実施例の第３バージョンを示す。
【図９】本発明の第４実施例の第１バージョンのさらなる態様を詳細に示す。
【図１０】本発明の第５実施例を示す。
【図１１】本発明の第６実施例を示す。
【図１２】本発明の第７実施例の基板および縁密封部材を平面図で示す。
【図１３】本発明の第７実施例の断面図を示す。
【図１４】本発明の第７実施例の詳細を示す。
【図１５】第７実施例のさらなる構成を詳細に示す。
【図１６】本発明の第８実施例を示す。
【図１７】本発明の第９実施例を示す。
【図１８】本発明の第１０実施例を示す。
【図１９】本発明の第１１実施例を示す。
【図２０】本発明の第１２実施例を示す。
【図２１】本発明の第１３実施例を示す。
【図２２】本発明の実施例による代替液体供給システムを示す。
【図２３】図２２のシステムを平面図で示す。
【００３４】
図では、対応する参照記号は対応する部品を示す。
【発明を実施するための形態】
【００３５】
実施例１
図１は、本発明の特定の実施例によるリソグラフィ投影装置を概略的に示す。装置は、
−この特定のケースでは放射線源ＬＡも含む、放射線の投影ビームＰＢ（ＤＵＶ放射線など）を供給する放射線システムＥｘ、ＩＬと、
−マスクＭＡ（レチクルなど）を保持するためにマスク・ホルダを設け、アイテムＰＬに対してマスクを正確に位置決めするための第１位置決め手段ＰＭに接続された第１オブジェクト・テーブル（マスク・テーブル）ＭＴと、
−基板Ｗ（レジスト被覆したシリコン・ウェーハなど）を保持するために基板ホルダを設け、アイテムＰＬに対して基板を正確に位置決めするための第２位置決め手段ＰＷに接続された第２オブジェクト・テーブル（基板テーブル）ＷＴと、
−マスクＭＡの照射部分を基板Ｗの標的部分Ｃ（例えば１つまたは複数のダイを備える）に撮像する投影システム（「レンズ」）ＰＬ（屈折システムなど）とを備える。
本明細書で示すように、装置は透過性タイプ（例えば透過性マスクを有する）である。しかし、概して例えば屈折タイプ（例えば屈折性マスクを有する）でもよい。あるいは、装置は、上述したようなタイプのプログラマブル・ミラー・アレイのような別種のパターニング手段を使用してもよい。
【００３６】
ソースＬＡ（エキシマ・レーザなど）は放射線ビームを生成する。このビームを、直接、または例えばビーム拡張器Ｅｘなどの調整手段を横断した後、照明システム（照明装置）ＩＬに供給する。照明装置ＩＬは、ビームの強度分布の外径および／または内径範囲（一般にそれぞれ外部σおよび内部σと呼ぶ）を設定する調節手段ＡＭを備えてもよい。また、これは概して、集積器ＩＮおよびコンデンサＣＯなどの様々な他のコンポーネントを備える。この方法で、マスクＭＡに衝突するビームＰＢは、その断面に所望の強度分布を有する。
【００３７】
図１に関して、ソースＬＡは、（ソースＬＡが例えば水銀灯の場合によくあるように）リソグラフィ投影装置のハウジング内でよいが、リソグラフィ投影装置から離れていてもよく、これが生成する放射線ビームを（例えば適切な配向ミラーの助けで）装置内に導いてもよく、後者の場合は、往々にして、ソースＬＡがエキシマ・レーザであることに留意されたい。本発明および請求の範囲は、これらのシナリオ両方を含む。
【００３８】
ビームＰＢはその後、マスク・テーブルＭＴ上に保持されたマスクＭＡと交差する。マスクＭＡを横切ると、ビームＰＢはレンズＰＬを通過し、これはビームＰＢを基板Ｗの標的部分Ｃに集束する。第２位置決め手段（および干渉計測定手段ＩＦ）の助けにより、基板テーブルＷＴを、例えばビームＰＢの路の異なる標的部分Ｃに位置決めするよう、正確に移動させることができる。同様に、第１位置決め手段を使用して、例えばマスク・ライブラリからマスクＭＡを機械的に取り出した後、または走査中に、ビームＰＢの路に対してマスクＭＡを正確に位置決めすることができる。概して、オブジェクト・テーブルＭＴ、ＷＴの動作は、図１には明示的に図示されていない長ストローク・モジュール（コース位置決め）および短ストローク・モジュール（微細位置決め）の助けにより実現される。しかし、ウェーハ・ステッパの場合、（走査ステップ式装置とは異なり）マスク・テーブルＭＴを短ストローク・アクチュエータに接続するだけ、またはこれに固定すればよい。
【００３９】
図示の装置は、２つの異なるモードで使用することができる。
１．ステップ・モードでは、マスク・テーブルＭＴは基本的に静止状態に維持され、マスク像全体を１回で（つまり１つの「フラッシュ」で）標的部分Ｃに投影する。次に、ビームＰＢで異なる標的部分Ｃを照射できるよう、基板テーブルＷＴをｘおよび／またはｙ方向にシフトさせる。
２．走査モードでは、基本的に同じシナリオが当てはまるが、１つの「フラッシュ」で所与の標的部分Ｃを露光しない。代わりに、マスク・テーブルＭＴは速度ｖで所与の方向（いわゆる「走査方向」、例えばｙ方向）に動作可能であり、したがって投影ビームＰＢがマスク像を走査して、それと同時に基板テーブルＷＴが速度Ｖ＝Ｍｖで同方向または逆方向に同時に移動し、ここでＭはレンズＰＬの倍率（通常はＭ＝１／４または１／５）である。この方法で、解像度を妥協することなく、比較的大きい標的部分Ｃを露光することができる。
【００４０】
図２は、投影システムＰＬと、基板ステージＷＴ上に配置された基板Ｗとの間の液体リザーバ１０を示す。液体リザーバ１０は、入口／出口ダクト１３を介して提供された水などの比較的高い屈折率を有する液体１１で充填される。液体は、投影ビームの放射線が、空気中または真空中より液体中で短い波長であるという効果を有し、それによってさらに小さい機構を解像することができる。投影システムの解像限度は、特に投影ビームの波長およびシステムの開口数によって決定されることが、よく知られている。液体の存在は、有効開口数を増加させるとも見なすことができる。さらに、固定された開口数では、液体が焦点深度を増大させるのに効果的である。
【００４１】
リザーバ１０は、投影レンズＰＬの像フィールドの周囲で基板Ｗの好ましくは非接触の密封を形成し、したがって液体は、投影システムＰＬに面する基板の１次表面と、投影システムＰＬの最終光学要素との間の空間充填に限定される。リザーバは、投影レンズＰＬの最終要素の下および周囲に配置された密封部材１２によって形成される。したがって、液体供給システムは、基板の局所的区域にのみ液体を提供する。密封部材１２は、投影システムの最終要素と基板間の空間を液体で充填するための液体供給システムの一部を形成する。この液体は、投影レンズの下および密封部材１２内の空間に入る。密封部材１２は、投影レンズの底要素の少し上に延在することが好ましく、液体は、最終要素より上に上がり、したがって液体のバッファが提供される。密封部材１２は、その上端が投影システムまたはその最終要素の形状と非常に一致し、例えば円形でもよい内周を有する。底部では、内周が像フィールドの形状、例えば長方形と非常に一致するが、そうである必要はない。密封部材は、投影システムに対してＸＹ面でほぼ静止するが、Ｚ方向（光軸の方向）には多少の相対的動作があってよい。密封部材と基板の表面との間に密封が形成される。この密封は、非接触密封であることが好ましく、気体密封でよい。
【００４２】
液体１１は、密封装置１６によってリザーバ１０内に限定される。図２で示すように、密封装置は非接触密封、つまり気体密封である。気体密封は、加圧状態で入口１５を介して密封部材１２と基板Ｗとの間のギャップに供給され、第１出口１４によって抽出される空気または合成空気などの気体で形成される。気体入口１５への過剰圧力、第１出口１４への負圧レベルまたは圧力不足およびギャップの幾何学的形状は、液体１１を限定する装置の光軸に向かって内側へと高速の空気流があるよう構成される。
【００４３】
図２２および図２３も、入口ＩＮ、出口ＯＵＴ、基板Ｗおよび投影レンズＰＬの最終要素によって画定された液体リザーバを示す。図２の液体供給システムと同様、図２２および図２３で示した液体供給システムは、入口ＩＮおよび出口ＯＵＴを備え、投影システムの最終要素と基板との間の局所的区域で基板の１次表面に液体を供給し、基板の縁で液体損を経験することがある。
【００４４】
したがって、この実施例についてここでは、液体供給システムは、図２および図２２および図２３に関して説明した通りのものを備えることができる。
【００４５】
図２、図２２および図２３で示した液体供給構成の問題は、基板Ｗの縁部分の撮像時に発生する。これは、基板Ｗの縁を投影システムＰＬの下に配置すると、液体供給システムの限定的な壁（基板Ｗ）の１つ（図示のように底部）が除去され、それによって液体が逃げられるからである。しかし、本発明は、他の任意のタイプの液体供給システムに使用することができる。
【００４６】
図３は、液体供給システムからの浸漬液体の破局的損失がない状態で、基板Ｗの縁部分を撮像できる方法を示す。これは、基板テーブルＷＴ上にカバー・プレートまたは縁密封部材１７を設けることによって達成される。縁密封部材１７は、基板Ｗの上部１次表面とほぼ同一平面上にある（図示で）上部１次表面を有して、基板Ｗの縁に非常に隣接し、したがって基板の縁が投影レンズＰＬの下で動作しても、液体の突然の損失はない。それでも、ギャップへの多少の液体損が発生することがある。言うまでもなく、投影システムに対面し、ほぼ同一平面上にあるのが縁密封部材および基板の下面であるよう、図２および図３で示した構造全体を逆さまにして配置した構成もある。したがって、投影システムＰＬに面する表面を、上面ではなく１次表面と呼ぶ。本明細書で上面および下面と言うのは、それぞれ逆さまの構成での下面および上面も指すと見なすことが適切である。
【００４７】
このシステムでは、液体供給システム（例えばリザーバ１０）は、基板２の縁上に配置し、それでも基板Ｗから完全に離して移動させることができる。これによって、基板Ｗの縁部分を撮像することができる。
【００４８】
縁密封部材１７は、（図４で縁密封部材１１７として図示されているように）基板テーブルＷＴの一体部品を形成するか、例えば負圧吸引を使用するか、電磁力を使用して、基板テーブルの残りの部分に対して一時的に装着することができる。縁密封部材１７は、基板Ｗの１次表面とほぼ同一平面上になるよう、縁密封部材１７の１次表面が基板テーブルＷＴより上になる高さを調節できるように、（図５および図６で示すように）基板テーブルの残りの部分に対して移動可能であることが好ましい。この方法で、異なる厚さの基板Ｗに同じ縁密封部材１７を使用することができる（厚さの公差は、約２５μｍであるが、実施例は約０．２ｍｍまでの変動に対応することができる）。縁密封部材１７の位置決め機構は、圧電素子または電磁気、ウォーム・ギアなどを使用してもよい。適切な機構について、以下で説明する第２実施例に関連して説明する。
【００４９】
縁密封部材１７は、幾つかの個々の区画で形成し、それぞれが基板Ｗの縁の一部を囲んでもよい。
【００５０】
実施例２
第２実施例は図４から図６で図示され、以下の説明以外は第１実施例と同じ、または同様である。
【００５１】
図４および図５の実施例では、縁液体供給システムが、孔４０を介してリザーバ３０に液体を供給する。リザーバ３０中の液体は、任意選択で液体供給システム中の浸漬液と同じである。リザーバ３０は、基板Ｗの投影レンズとは反対側に配置され、基板Ｗの縁および縁密封部材１７、１１７の縁に隣接する。図５では、縁密封部材１７は、基板テーブルＷＴとは別個の要素で構成され、図４では、縁密封部材１１７は、基板テーブルＷＴの一体部分によって提供される。図４で最も明白に見られるように、基板Ｗは、いわゆるピンプル・テーブル２０によって基板テーブルＷＴ上に支持される。ピンプル・テーブル２０は複数の突起を備え、その上に基板Ｗが載る。基板Ｗは、例えば基板テーブルＷＴの頂面へと基板を吸引する負圧源などによって、所定の位置に保持される。リザーバ３０を使用すると、基板Ｗの縁を撮像する時（つまり投影レンズ下で液体供給システム中の液体が基板の縁を横切る時）、液体は液体供給システムから、縁密封部材１７、１１７と基板２間のギャップに逃げることができない。その空間が既に液体で充填されているからである。
【００５２】
基板テーブルＷＴの残りの部分に対して縁密封部材１７を移動させ、図５に図示された機構１７０を、図６で詳細に示す。縁密封部材１７をこの方法で移動させる理由は、その１次表面を基板Ｗの１次表面とほぼ同一平面上にできるようにするためである。これによって、液体供給システムは基板Ｗの縁部分上で滑らかに移動することができ、したがって液体供給システムの底部内周は、一部は基板Ｗの１次表面上の位置に、一部は縁密封部材１７の１次表面上に移動することができる。
【００５３】
レベル・センサ（図示せず）を使用して、基板Ｗおよび縁密封部材１７の１次表面の相対的高さを検出する。レベル・センサの結果に基づき、縁密封部材１７の１次表面の高さを調節するため、制御信号をアクチュエータ１７１に送信する。閉ループ・アクチュエータもこの目的に使用することができる。
【００５４】
アクチュエータ１７１は、シャフト１７６を回転させる回転モータである。シャフト１７６は、モータ１７１に対して遠位側の端部で円形ディスクに接続される。シャフト１７６は、ディスクの中心から離れて接続される。ディスクは、ウェッジ部分１７２の円形窪みに配置される。玉軸受けを使用して、円形ディスクとウェッジ部分１７２の窪みの側部との摩擦量を軽減してもよい。モータ１７１は、板ばね１７７によって所定の位置に保持される。モータを起動すると、ウェッジ部分は、ディスク内でのシャフトの偏心位置のため、図示のように左右に（つまりウェッジ部分の傾斜の方向に）駆動される。モータは、ばね１７７によるウェッジ部分１７２の動作の方向と同じ方向には動作することができない。
【００５５】
ウェッジ部分１７２が図６で示すように左右に移動するにつれ、その上面１７５（縁密封部材１７の１次表面に対して傾斜しているウェッジの表面）が、縁密封部材１７の底部に固定されたさらなるウェッジ部材１７３の底部傾斜面に接触する。縁密封部材７１は、ウェッジ部材１７の動作方向に動作することができず、したがってウェッジ部材１７２が左および右に移動すると、縁密封部材１７はそれぞれ下降および上昇する。縁密封部材１７は基板テーブルＷＴに向かって多少のバイアスが必要なことがある。
【００５６】
さらなるウェッジ部材１７３は、例えばウェッジ１７２の動作方向に対して直角に配置された棒など、代替形状で置換できることは明白である。ウェッジ部材１７２とさらなるウェッジ部材１７２との摩擦係数が、ウェッジ角度の正接より大きい場合は、アクチュエータ１７０が自動制動手段になり、ウェッジ部材１７２を所定の位置に保持するため、それに力を加える必要がない。これは、アクチュエータ１７１を起動していない場合に、システムが安定するので有利である。機構１７０の正確さは、数μｍのオーダーである。
【００５７】
特に縁密封部材１１７が基板テーブルＷＴの一体部品である場合に、縁密封部材１７、１１７と基板の１次表面をほぼ同一平面上にできるよう、基板Ｗまたは基板Ｗを支持する部材の高さを調節する機構を設けてもよい。
【００５８】
実施例３
第３実施例は図７に図示され、以下の説明以外は第１実施例と同じ、または同様である。
【００５９】
この実施例について、基板テーブルＷＴの一体部品である縁密封部材１１７に関連して説明する。しかし、この実施例は、基板テーブルＷＴに対して動作可能な縁密封部材１７にも等しく適用することができる。この実施例では、不可欠なことではないが、縁密封部材１７が、基板の１次表面と同一平面上にある上面を有するが、こうすることが好ましい。真空源に接続された真空孔４６を、基板Ｗの投影システムとは反対側で、縁密封部材１１７および基板Ｗの縁部分の下および近傍に設ける。孔４６は環状で、連続溝で形成することが好ましいが、不連続、つまり別個の幾つかの開口を円形パターンで配置してもよい。最も単純な形態では、実施例は、孔４６を介してその真空源だけで働くことができる。しかし、基本的概念は、第３実施例の第１バージョンを例証し、図７ａで詳細に図示された基板テーブルＷＴを設けることによって改善することができる。
【００６０】
基板テーブルＳＴの部分４８が、縁密封部分１１７の縁から内側に延在し、したがって基板Ｗの投影システムとは反対側で基板テーブルＷの下に配置される。部分４８と基板Ｗの間のギャップを通して漏出する浸漬液体は、孔４６を介して真空源へと引きつけられる。流路４２を、真空源の半径方向内側で、これも基板Ｗの下に設け、気体源に接続する。これは、大気圧より高い圧力の気体でも、単純に流路４２を大気に対して開放してもよい。これによって、基板Ｗの下で、基板Ｗの下にある基板テーブルＷＴの部分４８とピンプル・テーブル２０との間に半径方向外側への空気の流れが生じる。（ピンプル・テーブル２０は、基板を所定の位置に保持するため、自身の真空源を有する。）このような空気の流れがあるので、縁密封部材１１７と基板Ｗとの間に逃げる液体があっても、真空源と流体接続した環状区画４４（断面がほぼ３×３ｍｍ）へと引きつけられる。区画４４は、ギャップに対して開いた環状孔４７と真空源に接続された孔４６との間に配置される。区画は、周辺に均一な流れを確立するのに役立つ。流路４２は、連続環状溝（ダクトの広がりとして図示）に接続される。区画４４、孔４７および／または流路４２の溝は、環状である必要はなく、他の適切な形状または構成でよい。
【００６１】
作業中の１つの実施例では、基板テーブルＷＴの部分４８と基板Ｗ間のギャップは、最大１００μｍのオーダーであり（しかしギャップは存在しなくても、つまりゼロでもよい）、これにより、毛管現象によって液体がギャップを高速で流れることが防止される。流路４２に接続された溝と区画４４との間で基板テーブルＷＴの部分４５の高さは、基板Ｗの底部とその部分４５との間の距離（図７にて距離Ｄ１で図示）が、通常は１００μｍのオーダーになるような高さであり、０．５バール未満の圧力損で、少なくとも１ｍ／秒の領域での均一な気体流が達成できるよう選択される。このような構成により、ギャップＤ１を通過し、ピンプル・テーブル２０と干渉する液体が、存在しても非常に少ししかないことが保証される。他の値でも作用する。
【００６２】
図７ａで示した第３実施例の第１バージョンは、基板Ｗが外側に１０ｍｍ程度屈曲することがある。図７ａで見られるように、上述したように部分４５が基板Ｗの下へ、基板Ｗを支持する場所へと延在できても、この区域は全く支持されていない。しかし、まさしく外径で、基板Ｗの重量と、基板Ｗと基板テーブルＷＴの部分４８間にある水の毛管力とが両方とも、なお基板Ｗの縁を屈曲させることができる。これが有害であることは明白である。この問題に対する解決法が図７ｂから図７ｄに図示され、これは第３実施例の第２から第４バージョンを示す。同様の参照番号が同じ機構に使用されている。
【００６３】
図７ｂで示す第２では、部分４８が、基板Ｗの周の縁およびその近傍に（円形パターンで）配置された少なくとも１組の節３４８を有する。節３４８が別個であるので、浸漬液はなお、部分４８と基板Ｗの間に滲入することができるが、基板Ｗの重量は、少なくとも１組の節３４８によって支持される。節３４８は、ピンプル・テーブル２０の節より高さが小さいことが好ましく、これは節３４８の近傍の縁において基板Ｗにかかる力と比較して、ピンプル・テーブル２０の真空２２によって生じる基板Ｗへの下方向の力の差を補償する。計算には、節の剛性を考慮にいれ、節が好ましいのでZerodurなどの低膨脹ガラスから製造されている場合、これはピンプル・テーブル２０の節より約８０ｎｍ低くなければならない。部分４８と基板Ｗの底部との間のギャップは、約２０μｍであることが好ましい。
【００６４】
図７ｂのバージョンでは、部分４５は第１バージョンと形状が類似している。しかし、代替品は、部分４５の上に配置されたリングまたは円形パターンの節３４５を有する。節３４５の離散的性質のため、流路４２からの気体を区画４４に吸引することができる。この節３４５も、ピンプル・テーブル２０の節より約８０ｎｍ低い。節３４５間のギャップＤ１は約５０μｍであることが好ましい。節３４５は、ピンプル・テーブル２０によって形成することができ、必ずしも基板テーブルＷＴの一部である必要はない。
【００６５】
上記の第３実施例の２つのバージョンから、通路４２および４７によって形成された空気密封は、完全に基板テーブルＷＴによって、完全にピンプル・テーブル２０によって、または両者の組合せによって形成できることが明白になる。図７ｃおよび図７ｄは、第３実施例のさらなる２つのバージョンを示す。図７ｃは、空気密封をピンプル・テーブル２０の部材によって形成する第３実施例の第３バージョンを示す。第１および第２バージョンの部分４５は、ピンプル・テーブル２０４５の環状部分から形成され、第１および第２バージョンの部分４８は、ピンプル・テーブル２０の環状部分２０４８によって形成される。４２および４７と等しい通路２０４２、２０４７を、部分２０４５、２０４８の間に形成する。しかし、気体流の一部のみが２本の通路２０４２、２０４７を通って流れ、図示のように、ピンプル・テーブル２０の外縁の下に漏れる浸漬液体のさらなる進入を阻止するのに有効な一部の気体が、ピンプル・テーブル２０の下を流れる。この構成は、必要な正確な寸法が全てピンプル・テーブル２０で作成され、基板テーブルＷＴが複雑な溝を一切含まないので有利である。
【００６６】
図７ｄで示した第３実施例の第４バージョンでは、流入通路４２が設けられず、気体がピンプル・テーブル２０から環状孔４７内へ流れる。このバージョンは、ピンプル・テーブル２０が自身の真空源を必要としないので、基板Ｗとピンプル・テーブル２０間でさらに安定した圧力を経験するという点で有利である。さらに、第３バージョンで必要とした余分な通路２０４２が必要でなく、通路２０４２しか要求されない。したがって、１つの真空源が、漏れている浸漬液体を除去することと、基板を所定の位置に保持することとの両方に効果的である。外方向への気体流を確立できるよう、ピンプル・テーブル２０の下に気体源を必要とすることがある（そのためには、ピンプル・テーブルの下で基板テーブルにあるさらに一般的な真空孔を使用できるようである）。
【００６７】
第３実施例の各バージョンの様々な特徴は、ピンプル・テーブルの中心から真空４６への半径方向外向きの気体流が達成される限り、組み合わせることができる。
【００６８】
実施例４
第４実施例は図８および図９に図示され、以下の説明以外は第１実施例と同じ、または同様である。
【００６９】
この実施例を、基板テーブルＷＴの一体部品である縁密封部材１１７に関して説明する。しかし、この実施例は、基板テーブルＷＴに対して移動可能な縁密封部材１７にも等しく適用可能である。
【００７０】
図８ａで示すようなこの実施例の第１バージョンでは、さらなる縁密封部材５００を使用して、縁密封部材１１７と基板Ｗ間を架橋する。さらなる縁密封部材を縁密封部材１１７に取り付ける。さらなる縁密封部材５００を、基板Ｗの１次表面とは反対の表面に当てて、着脱式に取り付ける。この実施例では、さらなる縁密封部材５００は、基板Ｗの下面に接触するよう起動可能な可撓性縁密封部材でよい。可撓性縁密封部材５００を停止すると、これは重力で基板から落下する。これを達成する方法を図９で示し、以下で説明する。
【００７１】
さらなる縁密封部材５００は、液体供給システムからの浸漬液体全てが基板Ｗの下の空間に入ることを防止するわけでなく、この理由から、低圧源に接続された孔４６を、縁密封部材１１７の縁に隣接する基板Ｗ、およびこの実施例の一部または全てのバージョンの基板Ｗの下に設けることができる。言うまでもなく、基板の下にある区域の設計は、第３実施例のそれと同じでよい。
【００７２】
基板Ｗではなく、基板テーブル上にある透過像センサ（ＴＩＳ）などのセンサに、同じシステムを使用することができる。センサの場合、センサは移動しないので、縁密封部材５００を、例えば接着剤などを使用してセンサに永久的に取り付けることができる。
【００７３】
さらに、縁密封部材５００は、底面ではなくオブジェクトの上面（投影システムに近い方の表面）と係合するよう配置することができる。また、さらなる縁密封部材５００を、図８ａで示すように、縁密封部材１１７の下ではなく、縁密封部材１１７の上面に、またはその付近に取り付けてもよい。
【００７４】
この実施例の第２バージョンを図８ｂに示す。２つのさらなる縁密封部材５００ａ、５００ｂを使用する。第１の縁密封部材５００ａは、第１バージョンと同じである。第２の縁密封部材５００ｂは、基板テーブル２０に、つまり基板Ｗの下に取り付けて、これは自由端が取付点から半径方向外側に延在する。第２のさらなる縁密封部材５００ｂは、第１のさらなる縁密封部材５００ａを基板Ｗに締め付ける。圧縮ガスを使用して、第２のさらなる縁密封部材５００ｂを変形するか、動作させることができる。
【００７５】
この実施例の第３バージョンを図８ｃに示す。第３バージョンは、第２バージョンと同じであるが、第１のさらなる縁密封部材５００ｃが第２のさらなる縁密封部材５００ｄを基板Ｗに締め付ける。これにより、例えば第２バージョンの圧縮ガスが不必要になる。
【００７６】
この実施例も、真空に接続しても、接続しなくても、第２のさらなる縁密封部材５００ｂ、５００ｄでのみ作用することが理解される。
【００７７】
次に、さらなる縁密封部材５００、５００ａ、５００ｂ、５００ｃ、５００ｄを変形する様々な方法について、実施例の第１バージョンに関連して説明する。
【００７８】
図９から見られるように、流路５１０をさらなる可撓性縁密封部材５００（好ましくは環状のリング）の長手方向に形成し、さらなる可撓性縁密封部材の投影システムに面する上面、および基板Ｗの下側に１つまたは複数の別個の孔を設ける。真空源５１５をダクト５１０に接続することにより、さらなる可撓性縁密封部材を吸引にて基板Ｗに突き合わせることができる。真空源５１５を切断するか、オフに切り換えると、さらなる可撓性縁密封部材５００は重力および／または孔４６からの圧力で落下し、図９の点線で示した位置になる。
【００７９】
代替実施例では、基板をピンプル・テーブル２０に載せて、さらなる可撓性縁密封部材５００が弾性変形すると、これが基板Ｗに接触するよう、さらなる可撓性縁密封部材５００を機械的予荷重で形成し、したがって基板Ｗに上方向の力を加えて、密封を作成する。
【００８０】
さらなる代替品では、さらなる可撓性縁密封部材５００を、孔４６にかかる加圧気体によって発生した過剰圧力によって基板Ｗに押し付ける。
【００８１】
さらなる可撓性縁密封部材５００は、可撓性で放射線および浸漬液体に耐性があり、汚染しない任意の材料、例えば鋼、Ａｌ2Ｏ3などのガラス、ＳｉＣなどのセラミック材料、シリコン、テフロン（登録商標）、低膨脹ガラス（例えばZerodur(TM)またはＵＬＥ（ＴＭ））、炭素繊維エポキシまたはクォーツから下降することができ、通常は１０から５００μｍの厚さ、好ましくは３０から２００μｍ、またはガラスの場合、５０から１５０μｍの厚さである。この材料および寸法のさらなる可撓性縁密封部材５００では、ダクト５１０に加える必要がある典型的圧力は、約０．１から０．６バールである。
【００８２】
実施例５
第５実施例は図１０９に図示され、以下の説明以外は第１実施例と同じ、または同様である。
【００８３】
この実施例を、基板テーブルＷＴの一体部品である縁密封部材１１７に関して説明する。しかし、この実施例は、基板テーブルＷＴに対して動作可能な縁密封部材１７にも等しく適用可能である。
【００８４】
第５実施例では、縁密封部材１１７と基板Ｗ間のギャップは、さらなる縁密封部材５０で充填される。さらなる縁密封部材は、基板２および縁密封部材１１７の１次表面とほぼ同一平面上にある上面を有する。さらなる可撓性縁密封部材５０は、可撓性材料で作成され、したがって基板Ｗの直径および基板Ｗの厚さにおける微小な変動は、さらなる可撓性縁密封部材５０の屈曲によって対応することができる。投影レンズの下で液体供給システム内の液体が基板の縁の上を通過する時、液体は基板Ｗと、さらなる可撓性縁密封部材５０と縁密封部材１１７との間に逃げることができない。これらの要素の縁が相互に密着しているからである。さらに、基板Ｗおよび縁密封部材１１７の１次表面、およびさらなる可撓性縁密封部材５０の上面がほぼ同一平面上にあるので、液体供給システムが基板Ｗの縁上を通過しても、その動作は不調にならず、したがって液体供給システム内に妨害力が発生しない。
【００８５】
図１０で見られるように、さらなる可撓性縁密封部材５０は、基板Ｗの１次表面とは反対の基板Ｗの表面に、縁部分にて接触する。この接触は２つの機能を有する。第１に、さらなる可撓性縁密封部材５０と基板Ｗ間の流体密封が改善される。第２に、さらなる可撓性縁密封部材５０が、ピンプル・テーブル２０から離れる方向で基板Ｗに力を加える。基板２を、例えば負圧吸引などによって基板テーブルＷＴ上に保持する場合、基板を基板テーブル上に確実に保持することができる。しかし、真空源をオフにするか、切断すると、さらなる可撓性縁密封部材５０によって基板Ｗ上に生成された力は、基板Ｗを押して基板テーブルＷＴから離すのに効果的であり、それによって基板Ｗの装填および取り外しを補助する。
【００８６】
さらなる可撓性縁密封部材５０は、ＰＴＦＥなど、放射線および浸漬液体に耐性がある材料で作成する。
【００８７】
実施例６
図１１は、以下の説明以外は第１実施例と同じ、または同様である本発明の第６実施例を示す。
【００８８】
この実施例を、基板テーブルＷＴの一体部品である縁密封部材１１７に関して説明する。しかし、この実施例は、基板テーブルＷＴに対して動作可能な縁密封部材１７にも等しく適用可能である。
【００８９】
第６実施例は、ピンプル・テーブル２０を、基板Ｗと縁密封部材１１７の間で液体供給システムから切り離せる方法を示す。これは、大気６５に露出した開口を、基板Ｗの縁と、基板Ｗを基板テーブルＷＴ上に保持し、ピンプル・テーブル２０を伴う真空との間に配置することによって実行する。
【００９０】
基板Ｗの投影システムとは反対側で、基板の縁の下に配置された層６０は、基板Ｗと層６０の間に約１μｍのギャップを生じ、テフロン（登録商標）、シリコンゴム、または他のプラスチック材料などの疎水性である任意の材料で構成される。耐放射線性が優れているので、無機材料が好ましい。この方法で、液体供給システムが基板Ｗの縁上に配置された場合に、基板Ｗと縁密封部材１１７間のギャップに入る液体が跳ね返され、したがって有効密封が形成され、液体はピンプル・テーブル２０に入らない。浸漬液体は、疎水性層６０との間に少なくとも９０°の接触角を有することが好ましい。
【００９１】
実施例７
本発明の第７実施例について、図１２から図１５に関して説明する。第７実施例は、以下の説明以外は第１実施例と同じ、または同様である。
【００９２】
第７実施例では、図１２で示すように縁密封部材１７は環状で、中心穴は円形基板Ｗより直径が大きい。基板Ｗおよび縁密封部材１７の形状は、縁密封部材１７の中心穴が基板Ｗの外径より大きい限り、変更してよい。この方法で、縁密封部材１７は基板Ｗ直径の変動に対応することができる。
【００９３】
縁密封部材１７は、基板テーブルＷＴ上で動作可能であり、したがって液体供給システムが、露光のために基板Ｗの縁部分に向かって動作する場合、縁密封部材１７を、露光すべき基板Ｗのその縁部分にぴったり突き当たるよう動作させることができる。これは図１３で最もよく図示され、ここでは基板Ｗの左手側が露光されるところである。
【００９４】
図１４で明白に図示されたように、縁密封部材１７は、基板Ｗの１次表面の面と、好ましくはＺ方向（つまり装置の光軸の方向）との両方で動作可能である。この方法で、縁密封部材１７を、必要に応じて基板Ｗの縁へと移動させることができ、１次表面が基板Ｗの１次表面とほぼ同一平面上になるよう、その上部（１次）表面の高さを調節することができる。これによって、液体供給システムは、基板Ｗの縁の撮像時にも、リザーバ内に浸漬液を効果的に含むことができる。
【００９５】
図１４には、縁密封部材１７の１次表面と同一平面上にある上面を有する突起１７５も図示されている。つまり、縁密封部材１７の１次表面が基板Ｗに隣接する縁上に出っ張り、したがって突起が装置の光軸に向かって延在する。図１４で見られるように、これによって、基板Ｗの縁がわずかに湾曲していても（つまり基板Ｗの縁が１次表面に直角でなくても）基板Ｗと縁密封部材１７の１次表面間のギャップを最小にすることができる。
【００９６】
縁密封部材１７と基板Ｗ間のギャップを改善または削減する別の方法は、基板２に近い方の縁密封部材１７の縁と基板Ｗとの間にさらなる（可撓性）縁密封部材１７７を設けることである。これを図１５で示す。これは、突起１７５があってもなくても実行することができる。さらなる可撓性縁密封部材１７７は、基板Ｗとの間で密封を形成するよう、基板Ｗの縁の周囲で変形することができる。さらなる可撓性縁密封部材１７７を縁密封部材１７に取り付ける。さらなる可撓性縁密封部材１７７は、基板Ｗおよび縁密封部材１７の１次表面とほぼ同一平面上にある上面を有する。
【００９７】
実施例８
図１６は、以下の説明以外は第１実施例と同じ、または同様である本発明の第８実施例を示す。
【００９８】
この実施例を、基板テーブルＷＴの一体部品である縁密封部材１１７に関して説明する。しかし、この実施例は、基板テーブルＷＴに対して動作可能な縁密封部材１７にも等しく適用可能である。
【００９９】
図１６で見られるように、第８実施例は、縁密封部材１１７と基板Ｗ間のギャップに架橋するさらなる縁密封部材１００を含む。この場合、さらなる縁密封部材１００は、基板をよび縁密封部材１１７の１次表面上に配置されて、基板Ｗと縁密封部材１１７間のギャップにまたがるギャップ密封部材である。したがって、基板Ｗが円形の場合、ギャップ密封部材１００も円形（環状）になる。
【０１００】
ギャップ密封部材１００は、真空１０５をその下側に加えることによって所定の位置に保持することができる（これは縁密封部材１１７の１次表面の真空孔を通して曝露する真空源である）。基板Ｗと縁密封部材１１７間のギャップがギャップ密封手段１００によって覆われているので、液体供給システムは、液体を損失することなく、基板Ｗの縁上を通過することができる。ギャップ密封部材１００は、標準的な基板および基板の取扱い法を使用できるよう、基板ハンドラによって所定の位置に配置し、除去することができる。あるいは、ギャップ密封部材１００は、投影システムＰＬで保持し、適切な機構（例えば基板取扱いロボット）によって所定の位置に配置し、除去することができる。ギャップ密封部材１００は、真空源によって変形しないよう十分に剛性でなければならない。ギャップ密封部材１００は、液体供給システムと接触しないよう、５０μｍ未満、好ましくは３０または２０、さらには１０μｍ未満の厚さであると有利であるが、可能な限り薄くしなければならない。
【０１０１】
ギャップ密封部材１００には、ギャップ密封部材１００の厚さが縁に向かって減少するテーパ状縁１１０を設けると有利である。ギャップ密封部材の完全な厚さまでこのように漸進的に遷移すると、ギャップ密封部材１００上を通過する場合に、液体供給システムの干渉が確実に減少する。
【０１０２】
同じ方法の密封を、センサ、例えば透過像センサなどの他のオブジェクトにも使用することができる。その場合、オブジェクトは移動する必要がないので、ギャップ密封部材１００を、浸漬液中で熔解しない接着剤で、（いずれかの端部の）所定の位置に接着することができる。あるいは接着剤は、縁密封部材１１７とオブジェクトとギャップ密封部材１００との接合部に配置してもよい。
【０１０３】
さらに、ギャップ密封部材１００は、オブジェクトおよび縁密封部材１１７の出っ張りの下に配置することができる。オブジェクトには、必要に応じて出っ張りを形成してもよい。
【０１０４】
ギャップ密封部材１００は、オブジェクトの上にあっても下にあっても、縁密封部材１１７と接触する表面にある１つの開口からオブジェクトと接触する表面にある別の開口まで、自身を通って設けた通路を有することができる。真空１０５と流体連絡する１つの開口を配置することにより、ギャップ密封部材１００を所定の位置にしっかり保持することができる。
【０１０５】
実施例９
第９実施例について図１７に関して説明する。図１７で示す解決法は、基板Ｗの縁部分の撮像に伴う問題の幾つかを回避するとともに、基板Ｗと同じ条件で透過像センサ（ＴＩＳ）２２０を投影レンズＰＬで照射することができる。
【０１０６】
第９実施例は、第１実施例に関して説明した液体供給システムを使用する。しかし、液体供給システム中の浸漬液を、下側に基板Ｗを有する投影レンズの下に限定するのではなく、液体は、液体供給システムと基板Ｗとの間に配置された中間プレート２１０によって限定される。中間プレート２１０とＴＩＳ２２０と基板Ｗとの間の空間２２２、２１５も液体１１１で充填される。これは、図示のように個々の孔２３０、２４０を介して２つの別個の空間液体供給システムによって実行するか、孔２３０、２４０を介して同じ空間液体供給システムによって実行することができる。したがって、基板Ｗと中間プレート２１０間の空間２１５、および透過像センサ２２０と中間プレート２１０間の空間２２０は、両方とも液体で充填され、基板Ｗおよび透過像センサは両方とも、同じ条件で照明することができる。部分２００は、真空源によって所定の位置に保持できる中間プレート２１０に、１つまたは複数の支持表面を提供する。
【０１０７】
中間プレート２１０は、基板をよび透過像センサ２２０を全て覆うようなサイズで作成する。したがって、基板Ｗの縁を撮像する場合でも、または透過像センサを投影レンズＰＬの下に配置する場合も、液体供給システムは縁を横断する必要がない。透過像センサ２２０と基板Ｗの上面はほぼ同一平面上にある。
【０１０８】
中間プレート２１０は着脱式でよい。例えば、基板取扱いロボットまたは他の適切な機構によって所定の位置に配置し、除去することができる。
【０１０９】
実施例１０
図１８は、本明細書で説明した他の任意の実施例に適切可能であり、突然の液体損の前に浸漬液が広がり得るギャップのサイズを増加させるのに効果的な液体供給システムの変形を示す。
【０１１０】
複数の毛管６００を液体供給システム（例えば密封部材１２）と投影レンズＰＬの間に設ける。この毛管は、概ね上方向に、つまり基板Ｗから離れる方向に延在する。毛管が半径ｒを有すると、毛管が支持できる液体膜の厚さｈは、下式によって与えられる。
ｈ＝（２σｃｏｓθ）／（ｒｇρ）
ここでσは界面張力、θは液体と毛管ｗ間の接触角、ρは液体の密度である。ｃｏｓθをプラスにする（つまり毛管の内面をコーティングなどによって疎水性にする）と、毛管は、ギャップからの高さｈの液体部分を支持することができ、したがってこれがまたがるギャップを大きくすることができる。
【０１１１】
疎水性被膜毛管と液体との間に電圧を印加することにより、ｃｏｓθを約ゼロへと減少させることができ、これによって（上式１により）毛管６００を通る液体の自由な流れが可能になり、したがって毛管の長さを小さくしておくことにより、投影レンズ下の液体供給システムから短時間で液体を除去することができる。これは、液体を清浄に維持するのに有利である。基板Ｗの縁を撮像する場合は、ギャップにまたがれるよう電圧を除去することができる。基板Ｗから液体膜を持ち上げるため、基板Ｗの縁を疎水性材料で被覆することが提案される（または基板材料自体が疎水性であるので、基板Ｗの縁のレジストを除去することができる）。
【０１１２】
毛管６００は、ほぼ円形の断面でほぼ直線のダクト、または他の形状のダクトによって設けることができる。例えば、毛管は多孔質材料の空隙で構成してもよい。
【０１１３】
上述した実施例は全て、基板Ｗの縁の周囲を密封するのに使用することができる。基板テーブルＷＴ上にある他のオブジェクトも、同様の方法で密封する必要があることもある。例えば、透過像センサ、結合レンズ干渉計およびスキャナ（波面センサ）およびスポット・センサ・プレートなど、液体を通して投影ビームで照明するセンサおよび／またはマークを含むセンサなどである。このようなオブジェクトには、レベリングおよび位置合わせセンサおよび／またはマークなど、非投影放射線ビームで照明するセンサおよび／またはマークもある。このような場合、液体供給システムは、全てのオブジェクトを覆うよう液体を供給することができる。上記の実施例はいずれも、この目的に使用することができる。場合によっては、オブジェクトを基板テーブルＷＴから外す必要がない。というのは、基板Ｗとは異なり、センサは基板テーブルＷＴから外す必要がないからである。このような場合は、上記の実施例を適宜変形することができる（例えば、密封を可動式にする必要がない）。
【０１１４】
各実施例を、適宜、他の１つまたは複数の実施例と組み合わせてもよい。さらに、実現可能および／または適切であれば、各実施例（および任意の適切な実施例の組合せ）を、縁密封部材１７、１１７なしに図２および図１９および図２０の液体供給システムに適用するだけでよい。
【０１１５】
縁密封部材１１７およびセンサ２２０の上部最外縁の形状は、変更することができる。例えば、出っ張った縁密封部材１１７、または実際に出っ張っているセンサ２２０の外縁を設けると有利なこともある。あるいは、センサ２２０の上部外隅が有用なこともある。
【０１１６】
実施例１１
図１９は、以下の説明以外は第１実施例と同じである第１１実施例を示す。
【０１１７】
第１１実施例では、基板テーブルＷＴ上のオブジェクトは、透過像センサ（ＴＩＳ）などのセンサ２２０である。浸漬液がセンサ２２０の下に滲入するのを防止するため、浸漬流体で溶解せず、これに反応しない接着剤ビード７００を、縁密封部材１１７とセンサ２２０の間に配置する。接着剤は、使用中の浸漬流体で覆われる。
【０１１８】
実施例１２
第１２実施例について、図２０および図２１に関して説明する。第１２実施例では、基板テーブルＷＴに封止されるのはセンサ２２０である。図２０および図２１で図示した両方のバージョンで、縁密封部材１１７と基板２２０の縁との間のギャップに入るような浸漬液を全て除去するため、開口通路４７および室４４でギャップの近傍に真空４６を設ける。
【０１１９】
図２０のバージョンでは、真空４６を、オブジェクト２２０の出っ張り部分の下で基板テーブルＷＴに提供する。基板テーブルＳＴの内側に突き出した出っ張り部分に通路４７を設ける。任意選択で、基板テーブルＷＴとオブジェクト２２０の間に突出する部分の最内縁に接着剤ビード７００を配置する。接着剤ビード７００を設けない場合は、オブジェクト２２０の下からの気体流が、センサ２２０と基板テーブルＷＴ間のギャップの密封に役立つ。
【０１２０】
図２１のバージョンでは、内側に突き出した縁密封部材１１７の下で、オブジェクト自体に真空４６、区画４４および通路４７を設ける。この場合も、オブジェクト２２０と基板テーブルＷＴの間に通路４７の半径方向外側へと接着剤ビードを設ける選択肢がある。
【０１２１】
本発明の特定の実施例について以上で説明してきたが、本発明は記述以外の方法で実践できることが理解される。特に、本発明は、他のタイプの液体供給システム、特に局所的液体区域システムにも適用可能である。密封部材の解決法を使用する場合は、気体密封以外の密封を使用する解決法でよい。説明は、本発明を制限するものではない。
【図１】
2010212713.tif 000003
【図２】
2010212713.tif 000004
【図３】
2010212713.tif 000005
【図４】
2010212713.tif 000006
【図５】
2010212713.tif 000007
【図６】
2010212713.tif 000008
【図７ａ】
2010212713.tif 000009
【図７ｂ】
2010212713.tif 000010
【図７ｃ】
2010212713.tif 000011
【図７ｄ】
2010212713.tif 000012
【図８ａ】
2010212713.tif 000013
【図８ｂ】
2010212713.tif 000014
【図８ｃ】
2010212713.tif 000015
【図９】
2010212713.tif 000016
【図１０】
2010212713.tif 000017
【図１１】
2010212713.tif 000018
【図１２】
2010212713.tif 000019
【図１３】
2010212713.tif 000020
【図１４】
2010212713.tif 000021
【図１５】
2010212713.tif 000022
【図１６】
2010212713.tif 000023
【図１７】
2010212713.tif 000024
【図１８】
2010212713.tif 000025
【図１９】
2010212713.tif 000026
【図２０】
2010212713.tif 000027
【図２１】
2010212713.tif 000028
【図２２】
2010212713.tif 000029
【図２３】
2010212713.tif 000030
【手続補正書】
【提出日】平成22年4月27日(2010.4.27)
【手続補正１】
【補正対象書類名】特許請求の範囲
【補正対象項目名】全文
【補正方法】変更
【補正の内容】
【特許請求の範囲】
【請求項１】
所望のパターンに従って投影ビームにパターン形成するパターン形成手段を支持する支持構造と、
基板を保持する基板テーブルと、
パターン形成したビームを前記基板の標的部分に投影する投影システムと、
前記投影システムと、前記基板テーブル上に配置されたオブジェクトとの間の空間を液体で少なくとも部分的に充填する液体供給システムとを備える装置であって、
さらに、
前記空間の境界の少なくとも一部に沿って、前記投影システムと前記基板テーブルの間に延在する液体供給システムの部材と、
前記基板テーブルから延在し、前記部材と前記投影システムとの間に配置された毛管とを備えることを特徴とするリソグラフィ投影装置。
【請求項２】
前記毛管がチューブである、
請求項１に記載のリソグラフィ投影装置。
【請求項３】
前記毛管が多孔質膜で形成される、
請求項１又は２に記載のリソグラフィ投影装置。
【請求項４】
前記毛管の内部コーティングが疎水性である、
請求項１から３いずれか１項に記載のリソグラフィ投影装置。
【請求項５】
さらに、前記空間内の前記液体と前記毛管との間に電位差を与える手段を備える、
請求項１から４いずれか１項に記載のリソグラフィ投影装置。
【請求項６】
撮像すべき前記オブジェクトが前記基板またはセンサである、
請求項１から５いずれか１項に記載のリソグラフィ投影装置。
【請求項７】
リソグラフィ装置の基板取り扱いシステムであって、
基板を保持するように構築された基板テーブルと、
前記基板テーブルを囲む周囲構造と、
前記基板のレベルパラメータを求めるように構成されたセンサと、
少なくとも前記周囲構造の表面に対して直角の方向で、前記基板テーブルおよび前記周囲構造を相対的に移動させるように構成したアクチュエータと、
レベルパラメータを使用して前記基板テーブルおよび前記周囲構造の表面を相対的に移動させて、前記基板テーブル上に保持された場合に前記基板の表面が前記周囲構造の表面とほぼ同一レベルの位置になるように前記アクチュエータを駆動するように構成した制御装置とを有するシステム。
【外国語明細書】
2010212713000001.pdf